(57)【要約】  歯科用修復システムを開示する。歯科用修復システムは、インプラントと、保持部品と、歯科用部品と、ドライバツールとを含む。保持部品は、インプラントの保持チャンバの中で載置可能である。保持部品は、ドライバツールの駆動ヘッドと相互作用するためのドライバ区分とネジ切り面を備える歯科用部品係合区分とを含む。歯科用部品は、ネジ山を備える保持部品相互作用面を含む。歯科用部品は、歯科用部品がインプラントへ挿入されたとき、保持部品相互作用面のネジ山とかみ合うネジ切り面を介して保持部品に係合する。ドライバツールは、歯科用部品を尖端で係合するために保持部品を回転するために使用される。歯科用部品がインプラントに完全に取り付けられたとき、保持部品は、保持部品壁に当接し、歯科用部品はインプラントの環状ショルダに当接する。
2018516704.tif 000002
【特許請求の範囲】
【請求項１】
歯科用修復システムであって、
先端と、円筒体と、環状ショルダを有する開放端部とを有するインプラントであって、前記円筒体が、保持部品壁を有する保持部品チャンバを含む、インプラントと、
前記インプラントの前記保持チャンバの中に載置される保持部品であって、前記保持部品が、ドライバツールの駆動ヘッドと相互作用するためのドライバ区分とネジ切り面を備える歯科用部品係合区分とを含む、保持部品と、
ネジ山を備える保持部品相互作用面と、中を貫通する孔と、を含む歯科用部品と、
駆動ヘッドを含むドライバツールと、を備え、
前記歯科用部品は、前記歯科用部品が前記インプラントに挿入されたときに前記保持部品相互作用面の前記ネジ山とかみ合う前記ネジ切り面を介して前記保持部品に係合し、前記ドライバツールの前記駆動ヘッドは前記保持部品の前記ドライバ区分に係合して、尖端において前記歯科用部品に係合するようにドライバツールを介して前記保持部品が回転できるようし、前記歯科用部品は前記インプラントに完全に取り付けられたときに、前記保持部品が前記保持部品壁に当接し、前記歯科用部品が前記インプラントの前記開放端部の前記環状ショルダに当接する、システム。
【請求項２】
前記嵌合い部品がステムを有するアバットメントである、請求項１に記載のシステム。
【請求項３】
前記嵌合い部品がカバースクリューである、請求項１又は２に記載のシステム。
【請求項４】
前記嵌合い部品が、印象コーピングである、請求項１〜３のいずれか１項に記載のシステム。
【請求項５】
前記嵌合い部品が、走査されたとき前記インプラントに関するデータを提供するアタッチメント部材である、請求項１〜４のいずれか１項に記載のシステム。
【請求項６】
前記保持部品が、処理済みの滑らかな表面コーティングを備えるステンレス鋼から製作され、前記インプラントが市販の純粋チタンから製作される、請求項１〜５のいずれか１項に記載のシステム。
【請求項７】
前記滑らかな表面コーティングが金メッキである、請求項６に記載のシステム。
【請求項８】
前記保持部品の前記歯科用部品相互作用区分が雄型部品であり、前記ネジ切り面が外面であり、前記歯科用部品の前記保持部品相互作用面が内面である、請求項１〜７のいずれか１項に記載のシステム。
【請求項９】
前記保持部品の前記歯科用部品相互作用区分が雌型部品であり、前記ネジ切り面が内面であり、前記歯科用部品の前記保持部品相互作用面が外面である、請求項１〜８のいずれか１項に記載のシステム。
【請求項１０】
前記保持部品が、前記保持部品チャンバの中へ嵌まるように圧縮できかつ前記保持部品壁に当接するように除圧できる順応型のアームを含む、請求項１〜９のいずれか１項に記載のシステム。
【請求項１１】
更に、前記インプラントの前記保持チャンバに挿入可能なＣ字形インサートを備える、請求項１〜１０のいずれか１項に記載のシステム。
【請求項１２】
前記ドライバツールの前記駆動ヘッドが雄型部品であり、前記保持部品の前記ドライバ区分がこれに噛み合う雌型部品である、請求項１〜１１のいずれか１項に記載のシステム。
【請求項１３】
前記ドライバツールの前記駆動ヘッドが雌型部品であり、前記保持部品の前記ドライバ区分がこれに噛み合う雄型部品である、請求項１〜１２のいずれか１項に記載のシステム。
【請求項１４】
前記歯科用部品が回転防止区分を含み、前記インプラントが回転防止区分を含み、前記歯科用部品の前記回転防止区分が前記インプラントの前記回転防止区分と相互作用して、前記歯科用部品の回転を防止する、請求項１〜１３のいずれか１項に記載のシステム。
【請求項１５】
前記歯科用部品の前記回転防止区分が前記インプラントに対して前記歯科用部品の回転方向を１つの固有の回転方向に固定する、請求項１〜１４のいずれか１項に記載のシステム。
【発明の詳細な説明】
【技術分野】
【０００１】
関連出願の相互参照
本出願は、２０１５年６月８日に提出された米国仮特許出願第６２／１７２３６３号の利益を主張するものであり、その優先権の利益は本明細書によって主張され、上記米国仮特許出願は参照によりその全体が本明細書に援用される。
【０００２】
本開示は、歯科用インプラントに関連し、具体的には、歯科用インプラント及び歯科用部品を取り付けるためのスクリューレス接続機構に関する。
【背景技術】
【０００３】
周知の処置は、部分的又は全面的に歯が抜けた患者の義歯による歯の修復（restoration）である。典型的には、歯科用インプラントは、患者の顎骨の中に載置（seat）される。歯科用インプラントは、１つ又はそれ以上のアタッチメント又は構成部品を受け入れる又は支持するために、周囲を覆う又は周囲を囲う歯肉組織を通ってアクセス可能なソケット、例えば穴を含み、アタッチメント又は構成部品は、補綴歯科修復物を製作し支持するために有用である。歯科用インプラントは、概略的に、嵌合い部品を中に保持するための保持スクリューを受け入れるべくネジ切り穴を含む。歯科用インプラント治療は、多様なインプラント様式、例えば、ブレード、ネジ切りインプラント又はスムーズプッシュインインプラント（smooth push-in implant）を使用できる。
【０００４】
単一の歯修復物は、補綴物がインプラントと係合したときに回転せずに支持されなければならないという固有の要件を有する。これは、基礎となるアバットメントを非回転式に支持することによって得られることが多い。準備された生来の歯が基礎となるアバットメントである場合、前記要件は、非円形断面を備えるアバットメントを準備する通常の過程において満たされる。同様に、基礎アバットメントがインプラントへ嵌合されたポストである場合、この要件は、非円形断面を備えるポストを準備することによって満たされる。後者は、インプラントとアバットメントとの間に接続部が追加されるので、より複雑になる可能性がある。
【０００５】
多数の設計が反復して市販されてきたが、全体的には、これらの組立体内には３世代のインプラント−アバットメント相互作用部（interface）、すなわち、外部六角インプラント、内部接続インプラント及び垂直接続組立体、がある。外部六角インプラント設計は、インプラントから突出する六角形状（又は、別の回転防止形体）を有し、対応する補綴物は、メス型六角受容体を有する。六角突出部の下には面があり、この上にアバットメントが載置される。六角突出部は、アバットメントが長手軸線の周りで回転するのを抑制し、同時にインプラント載置面と一致する平面上での移動を防止するように作用する。アバットメント及びインプラントを取り付けるためにスクリューが導入され、回転される。スクリューは、基本的に、曲げ力に抵抗する唯一の構成部品である。
【０００６】
残念ながら、スクリューは、口内手術においてアバットメントに加えてインプラントに設置しなければならない別個の構成部品である。スクリューは、小さく、患者体内へ送達するのが困難である。スクリューのサイズは、スクリューをインプラント及びアバットメントの中へ挿入する際保持するのを困難にし、スクリューを落下した場合、飲み込むか更には吸引するリスクがある。更に、通常のスクリューはインプラントの載置面より上に載置される頭部を有する。アバットメントスクリュー頭部は、スクリューの物理特性（すなわちスクリュー頭部の高さ及び直径）、スクリュー頭部の場所及びアバットメントの角度に応じて、所定角度に達すると壊れて本体から離れるので、アバットメントの角度調節の程度を制限する。スクリュー（又は少なくともスクリュー頭部直径に等しい直径）を収容するために、アバットメントのアクセス穴は、スクリューの最大直径を受け入れるサイズを持たなければならず、これは、（アバットメントの外径に比べて）比較的大きくなることが多い。このことは、アバットメントの構造的安定性を弱化させる可能性があり、仮及び／又は最終修復物の最終的な美観を損なう可能性がある。
【発明の概要】
【発明が解決しようとする課題】
【０００７】
したがって、インプラントとアバットメントなどの嵌合い部品との間に、従来の取付けスクリューを使用せずにインプラントとアバットメントの取付けを可能にする保持部品が必要とされる。更に、インプラントに事前に載置され、それによって口内手術において口腔内でのスクリューの取り扱い失敗を防止する保持部品が必要とされる。更に、インプラントとアバットメントとの間にシールを生成して、口腔とインプラント内面との間のバクテリア交換を防止し場合によっては促進するインプラントとアバットメントとの間の相互作用部が必要とされる。更に、修復物の強度及び／又は美観を犠牲にすることなく、非常に短くかつ／又は大きい傾斜の修復物を可能にする修復物の設計融通性を与えるインプラントとアバットメントとの間の相互作用部が必要とされる。
【課題を解決するための手段】
【０００８】
本開示の１つの実施例は、先端と円筒体と環状ショルダを有する開放端部とを有するインプラントを含む歯科用修復システムである。円筒体は、保持部品壁を有する保持部品チャンバを含む。システムは、インプラントの保持チャンバに載置される保持部品を含む。保持部品は、ドライバツールの駆動ヘッドと相互作用するためのドライバ区分と、ネジ切り面を備える歯科用部品係合区分とを含む。歯科用部品は、ネジ山を備える保持部品相互作用面及び歯科用部品を貫通する孔を含む。ドライバツールは、駆動ヘッドを含む。歯科用部品は、歯科用部品がインプラントに挿入されたときに保持部品相互作用面のネジ山とかみ合うネジ切り面を介して保持部品に係合する。ドライバツールの駆動ヘッドは、保持部品のドライバ区分に係合して、ドライバツールを介して保持部品が回転して、歯科用部品に尖端で（apically）係合できるようにする。歯科用部品が完全にインプラントに取り付けられたときに、保持部品は、保持部品壁に当接し、歯科用部品は、インプラントの開放端部の環状ショルダに当接する。
【０００９】
もう１つの実施例は、保持部品を介して嵌合い部品をインプラントに接続する方法である。インプラントは、先端と円筒体と環状ショルダを有する開放端部とを含む。円筒体は、保持部品壁を有する保持部品チャンバを含む。保持部品は、ドライバツールの駆動ヘッドと相互作用するためのドライバ区分と、ネジ切り面を備える歯科用部品係合区分とを含む。方法は、保持部品をインプラントの中へ挿入することを含み、保持部品は、少なくとも部分的に保持部品チャンバの中に収納される。保持部品及びインプラントは、被術者体内へ挿入される。嵌合い部品は、インプラントの中へ挿入される。嵌合い部品は、ネジ切りコネクタを介して保持部品と相互作用することができる。保持部品は、嵌合い部品を尖端で接合するために回される。嵌合い部品は、保持部品を保持壁に当接し、嵌合い部品を環状ショルダと当接することによって、インプラントと接合される。
【００１０】
別の実施例は、内部穴を有するインプラントと内部穴内に配置される回転可能なネジ切り保持部品とを含む歯科用システムである。システムは、回転可能ネジ切り保持部品に係合する下部ネジ切りステムを含むアバットメントも含む。アバットメントは、回転可能ネジ切り保持部品の回転に反応してインプラント上の最終係合位置へ引き込まれる。
【００１１】
別の実施例は、インプラントの一端から内向きに延びる内部穴を有するインプラントを含むインプラント組立体である。回転可能ネジ切り保持部品は、内部穴内に配置される。回転可能ネジ切り保持部品は、インプラントの内部穴内に捕捉される部材と、インプラントと噛み合うための部品の対応するネジ切り区分に係合するために内部穴の底から上向きのネジ切りシャンクを有する。
【００１２】
別の実施例は、インプラントをアバットメントに接続する方法である。方法は、アバットメントの下部ネジ切りステムがインプラントの内部穴内で回転可能ネジ切り部品に係合するまで、アバットメントの下部ネジ切りステムをインプラントの内部穴の中へ挿入することを含む。回転可能ネジ切り部品は、インプラントに対してアバットメントを最終係合位置へ引っ張るためにインプラント内で回される。
【００１３】
本開示の以上の及び付加的な形態及び実施形態は、下記の図面を参照する様々な実施形態及び／又は形態の詳細な説明から当業者には明らかであろう。
【００１４】
本開示の以上の及びその他の利点は、下記の説明を読みかつ図面を参照することによって明らかになる。
【図面の簡単な説明】
【００１５】
【図１】図１は、インプラントと、ドライバツールによって駆動される保持部品を備える嵌合い部品と、を含む歯科用組立体の断面図である。
【図２】図２は、インプラント内で保持部品を起動（回転）した後の、図１のインプラントと保持部品を備える嵌合い部品との間の相互作用組立体の断面図である。
【図３Ａ】図３Ａは、図１の歯科用インプラントの斜視図である。
【図３Ｂ】図３Ｂは、図１のインプラントの断面図である。
【図４Ａ】図４Ａは、図１の嵌合い部品の拡大斜視図である。
【図４Ｂ】図４Ｂは、図１の嵌合い部品の断面図である。
【図５Ａ】図５Ａは、図１の保持部品の拡大斜視図である。
【図５Ｂ】図５Ｂは、図１の保持部品の断面図である。
【図６Ａ】図６Ａは、インプラント、保持部品及び歯科用部品の間の別の相互作用組立体の断面図である。
【図６Ｂ】図６Ｂは、図６Ａの保持部品の斜視図である。
【図６Ｃ】図６Ｃは、図６Ａの保持部品の上面図である。
【図６Ｄ】図６Ｄは、２ピース型保持部品を備える、図６Ａの別の相互作用部の断面図である。
【図６Ｅ】図６Ｅは、図６Ｅの２ピース型保持部品の斜視図である。
【図７Ａ】図７Ａは、インプラント、保持部品及び歯科用部品の間の別の相互作用組立体の断面図である。
【図７Ｂ】図７Ｂは、図７Ａの保持部品の斜視図である。
【図７Ｃ】図７Ｃは、図７Ａの保持部品の上面図である。
【図８Ａ】図８Ａは、インプラント、保持部品、スナップリングインサート及び嵌合い部品の間の別の相互作用組立体の斜視図である。
【図８Ｂ】図８Ｂは、嵌合い部品が挿入されたときの図８Ａの別の相互作用組立体の断面図である。
【図８Ｃ】図８Ｃは、嵌合い部品が保持部品を用いてインプラントと完全に噛み合った時の、図８Ａの別の相互作用組立体の断面図である。
【図９Ａ】図９Ａは、図８Ａの保持部品の斜視図である。
【図９Ｂ】図９Ｂは、図８Ａの保持部品の側面図である。
【図９Ｃ】図９Ｃは、図８Ａの保持部品の上面図である。
【図１０Ａ】図１０Ａは、図８Ａ〜８Ｃのインプラント及び保持部品と組み立てられたカバースクリュー式歯科用部品の組立体の断面図である。
【図１０Ｂ】図１０Ｂは、図１０Ａのカバースクリュー式歯科用部品の構成部品の分解斜視図である。
【図１０Ｃ】図１０Ｃは、図１０Ａのカバースクリュー式歯科用部品の上面図である。
【図１０Ｄ】図１０Ｄは、図１０Ａのカバースクリュー式歯科用部品の側面図である。
【図１１Ａ】図１１Ａは、様々な回転向きを持つ歯科用部品のための別のインプラント相互作用部の上面図である。
【図１１Ｂ】図１１Ｂは、所定の回転向きを備える歯科用部品のための別のインプラント相互作用部の上面図である。
【図１２Ａ】図１２Ａは、プラグツールによってプラグ装置が歯科用部品の中へ挿入された状態の、図８Ａの相互作用組立体の断面図である。
【図１２Ｂ】図１２Ｂは、プラグツールが歯科用部品からプラグ装置を外すための向きを向く、図８Ａの相互作用組立体の断面図である。
【００１６】
本発明には、様々な修正及び別の形式が可能であるが、具体的な実施形態を図において例として示し、本明細書において詳細に説明する。但し、本発明は、開示された特定の形式に限定されるものでないことが理解されるであろう。むしろ、本発明は、添付の特許請求の範囲によって規定される本発明の主旨及び範囲内にある全ての修正、均等物及び代替物を包括する。
【発明を実施するための形態】
【００１７】
図１は、インプラントと嵌合い部品の相互作用組立体（interface assembly）１００の分解斜視図である。相互作用組立体１００は、インプラント１０２と、保持部品１０４と、この実施例においてはアバットメントである嵌合い部品１０６とを含む。後述するように、保持部品１０４は、インプラント１０２を患者体内へ挿入する前にインプラント１０２の中へ挿入される。したがって、インプラント１０２と保持部品１０４の結合体は、インプラント組立体とみなされる。他の嵌合い部品は、例えば、アバットメント（複数）、印象（歯型）コーピング、カバースクリュー、一体型補綴物などを含むことができる。嵌合い部品は、アタッチメント部材であることも可能であり、アタッチメント部材は、走査されると、インプラント１０２に関するデータを提供する。このようなアタッチメント部材は、インプラント（すなわち、設置位置、向き、タイプなど）及び周囲条件（すなわち、歯肉下組織輪郭など）に関する情報を伝達する。このようなアタッチメント部材は、１ピース型又は２ピース型とすることができる。アタッチメント部材は、治癒する間、口内に置かれるか、又はデータを取得するのに充分な短い時間だけ取り付けることができる。
【００１８】
嵌合い部品１０６とインプラント１０２の取付けを容易にするドライバ１０８を図１に示す。図１に示す構成部品は、歯科修復過程において使用される。既知のように、インプラント１０２は、骨に適切な切骨術を施した後に患者の顎骨の中へ挿入される。インプラントドライバツールは、インプラント１０２を切骨部の中へ回転しながら挿入して骨の中でインプラントを位置付けるために使用される。嵌合い部品１０６は、この例において標準的補綴品であるか、又はこの例において患者の歯に代えるために患者に合わせて改変され、インプラント１０２が骨の中に載置された後にインプラント１０２に取り付けられる。歯科用部品１０６がインプラント１０２の中へ挿入された後に、歯科用部品１０６は、ドライバツール１０８を使用することによって、インプラント１０２に固定される。後述するように、インプラント１０２とアバットメント１０６との間の相互作用部は、インプラント１０２とアバットメント１０６との接合及び適切な整列を維持する保持部品１０４を含む。この相互作用部は、インプラント１０２に対するアバットメント１０６の制御された垂直位置及び回転整列の両方を与える。保持部品１０４は、インプラント１０２とアバットメント１０６との間の接続が確立されると、この制御を強制し、維持する。
【００１９】
図１及び図３Ａ〜３Ｂに示すように、インプラント１０２は、閉鎖端部１２２と反対側の開放端部１２４とを含むほぼ円筒形の体部１２０を有する。円筒体１２０は、外面１２６と内面１２８とを含む。外面１２６は、インプラント１０２を骨の中に保持する一連のネジ山１３０を有する。インプラント１０２は、内面１２８を含む内部穴１３２を含む。内部穴１３２は、回転防止区分１３４と保持部品区分１３６とを含む。
【００２０】
図３Ａ〜３Ｂに示すように、開放端部１２４は、回転防止区分１３４を含む。回転防止区分１３４は、外面３０４を形成する環状リング３０２を含む。環状リング３０４は、環状ストッパ面３０８を含む環状内部ショルダ３０６を有する。環状ストッパ面３０８は、実質的に水平であり、歯科用部品１０６が既知の反復可能な平面状の面上に載置されることができるようにして、後述するようにストッパ面３０８と嵌合い部品１０６の対応する面との間の当接に基づくシールを生成する。
【００２１】
回転防止区分１３４は、歯科用部品１０６がインプラント１０２の中へ挿入されたとき回転運動を防止するために、歯科用部品１０６の対応する面と噛み合う１組の円形の突起部３１０と溝部３１２とを含む。突起部３１０及び溝部３１２は、部分的に環状ストッパ面３０８を形成する。突起部３１０及び溝部３１２の反対側の端部も、保持部品区分１３６を画定する保持ストッパ面３１４を形成する。保持部品区分１３６は、第１直径を有する上部区分３２０を含む。上部区分３２０は、保持ストッパ面３１４によって一端を画定される。上部区分３２０の反対側の端部は、円錐形中間区分３２２に接続される。円錐形中間区分３２２は、上部区分３２０の第１直径より小さい第２直径を有する底部区分３２４に接続される。底部区分３２４は、内部底端部３２６を境界とする。当然、二重回転防止区分など、様々なタイプの回転防止配列体も、使用されることができる。
【００２２】
図１及び図４Ａ〜４Ｂは、嵌合い部品１０６を示す。嵌合い部品１０６は、上面１４２から底端面１４４まで延びるアクセス孔１４０を含む。嵌合い部品１０６は、中間回転防止区分１４６と底部保持係合区分１４８とを含む。図１に示すように、嵌合い部品１０６は、インプラント１０２の内部穴１３２の中へ挿入される。中間回転防止区分１４６は、インプラント１０２の回転防止区分１３４に係合し、底部保持係合区分１４８は保持部品区分１３６に係合する。図２に示すように、保持部品１０４は、図１のドライバツール１０８によって回されて上方へ移動して、最終的に保持ストッパ面３１４に当接して、嵌合い部品１０６をインプラント１０２にロックする。
【００２３】
嵌合い部品１０６の上部面１４２は、この実施例においてアバットメントとなり得る嵌合い部品頭部４０２を含む。嵌合い部品頭部４０２は、この実施例において、ワンピース型アバットメントであり、平面状ストッパ面４０８を有する底部リム４０６を含む底部円筒形区分４０４を含む。底部円筒形区分４０４の直径は、図３Ａ〜３Ｂのインプラント１０２の環状内部ショルダ３０６と同じ直径である。平面状ストッパ面４０８は、環状ストッパ面３０８に当接して、図２に示すように２つのストッパ面３０８及び４０８の接合及び保持部品１０４と嵌合い部品１０６との間に発生する予荷重によって、嵌合い部品１０６とインプラント１０２との間にシールを生じさせる。２つの平面状ストッパ面３０８及び４０８は、共通基準面を確立する付加的利点を有し、この利点は、修復プロセス全体を通じて利用できるので、修復用構成部品の垂直配置位置に対する制御の欠如を排除できる。平面状面は、円錐面の嵌合いを容易にし、垂直配置制御（垂直配置の変動性を減少する）並びにシールの強固さ（高い予荷重によってさらに増強される）の両方を促進する。
【００２４】
回転防止区分１４６は、部品頭部４０２に結合された上端部と円錐形区分４２２で終端する反対側の端部とを有する円筒形本体４２０を含む。円筒形本体４２０は、円形の突起部４２６及び溝部４２８を含む外面４２４を含む。円形突起部４２６は、インプラント１０２の回転防止区分１３４の溝部３１２とかみ合い、溝部４２８は回転防止区分１３４の突起部３１０とかみ合う。
【００２５】
底部保持係合区分１４８は、回転防止区分１４６の直径より小さい直径を有する円筒体４４０を含む。円筒体４４０は、ネジ山４４４を含む外面４４２を有する。後述するように、ネジ山４４４は、保持部品１０４のネジ山に係合する。
【００２６】
図１及び２に示すように、保持部品１０４は、順応型（compliant）の円錐形要素１５０と、ドライバツール１０８の頭部と相互作用（interface）するロック区分１５６を備える内部穴１５４を含む円筒形本体１５２と、を含む。この実施例において、保持部品１０４は、ＳＳ３１６Ｌステンレス鋼から製作でき、金メッキなどの滑らかな表面コーティングで処理できる。金メッキコーティングの目的は、保持部品１０６の効率を増大し、その結果得られる所与の回転力の場合の組立体内の予荷重を増大することである。この実施例において、インプラント１０２は、チタンである。当然、組立体１００の構成部品には、歯科修復に適する他の材料を使用することができる。
【００２７】
図５Ａ〜５Ｂは、保持部品１０４の詳細図である。順応型の円錐形要素１５０は、円筒形外面５０２と、開放端部５０６付近の傾斜外面５０４とを含む。傾斜状の内部環状面５０８が、開放端部５０６に形成される。傾斜状内部環状面５０８は、円筒形内面５１０に接続される。円筒形内面５１０は、ネジ切り内面５１２へ通じる。順応型の円錐形要素１５０は、４つのアーム５２２、５２４、５２６及び５２８を含む。４つのスロット５３２、５３４、５３６及び５３８が、４つのアーム５２２、５２４、５２６及び５２８の間に配置される。４つのアーム５２２、５２４、５２６及び５２８は、各々、ネジ切り内面５１２を含む。
【００２８】
内部穴１５４を含む円筒形本体１５２は、ロック区分１５６に結合される。ロック区分１５６の内部空間５４０の内径は、穴１５４のねじ切り内面５１２の直径より小さい。内部空間５４０は、ドライバツール１０８の頭部と噛み合う一連の６つの内部面５４２を含む。
【００２９】
ドライバツール１０８は、シャフト１６２に取り付けられたハンドル１６０を含む。シャフト１６２は、シャフト１６２を嵌合い部品１０６の孔１４０の中へ挿入できるようにする直径を有する。ドライバツール１０８は、保持部品１０４のロック区分１５６の内部空間４３０の対応する内面５４２にロックする一連の面を有する頭部１６４を含む。この実施例において、頭部１６４は、六角形断面を有し、ロック区分１５６は、六角形ソケットである。当然、頭部１６４とソケットとの間の相互作用部に他の形状を使用することができる。
【００３０】
本発明のシステム１００は、嵌合い部品１０６などの嵌合い部品（例えば、アバットメント、印象コーピング、カバースクリューなど）をインプラント１０２などの歯科用インプラントに保持するのに適する。保持部品１０４を介するインプラント１０２への接続は、嵌合い部品１０６が回転することなくかつ使用者が嵌合い部品と一緒に挿入しなければならないスクリューなどのアタッチメント部品を取り扱うことなく、使用者が、修復用嵌合い部品１０６を所望の位置へ方向付け又は整列して、嵌合い部品１０６を保持することができるようにするので、配置の間違い及び患者によるスクリューの呑み込みの可能性を回避できる。嵌合い部品１０６は、嵌合い部品１０６がインプラント１０２と組み立てられたとき保持部品１０４によって保持される。保持部品１０２は、保持部品１０４をインプラント１０２の保持部品区分１３６に挿入するために保持部品１０４のアーム５２２、５２４、５２６及び５２８を潰す（collapse）ことによって、製造者によってインプラント１０２の内部に事前に組み立てられる。ドライバツール１０８と一緒に歯科用部品１０６を挿入することによって、図２に示すように保持部品１０４がその潰れ前形状へ復帰できるようにする。
【００３１】
インプラント手術において、保持インサート組立体１００のインプラント１０２が患者体内に配置される。保持部品１０４は、インプラント１０２の中に事前に組み立てられるので、インプラント１０２と一緒に患者体内に配置される。図１に示すように、保持部品１０４の順応型の円錐形要素１５０の傾斜外面は、インプラント１０２の円錐形中間区分３２２とほぼ同じ形状である。保持部品１０４のロック区分１５６の外径は、底部区分３２４の直径とほぼ同じである。したがって、保持部品１０４は、図１に示すように、当初、インプラント１０２の底部区分３２４の内部底部端３２６に載置される。順応型の円錐形要素１５０の外径は、回転防止区分１３４の内部穴１３２の直径より僅かに大きい。保持部品１０４のアーム５２２、５２４、５２６及び５２８は、締め付けられて、保持部品１０４をインプラント１０２の中へ挿入できるようにする。
【００３２】
修復用の嵌合い部品１０６は、インプラント１０２上に整列して位置付けられる。嵌合い部品１０６の中間回転防止区分１４６は、インプラント１０２の回転防止区分１３４に係合する。インプラントの回転防止区分１３４の円形の突起部３１０及び溝部３１２は、嵌合い部品１０６の回転防止区分１４６の対応する溝部４２８及び突起部４２６に噛み合って、嵌合い部品１０６の回転運動を防止する。嵌合い部品１０６の保持係合区分１４８は、保持部品１０４の開放端５０６の中へ挿入される。嵌合い部品１０６の円筒体４４０の外面４４２のねじ部４４４は、保持部品１０４の円筒形内面５１０のねじ切り内面５１２に当接する。
【００３３】
ドライバツール１０８は、頭部１６４が保持部品１０４の駆動形体（例えば、六角内面５４２）に係合するように、嵌合い部品１０４のアクセス孔１４０を介して挿入される。保持部品１０４は、その後ドライバツール１０８によって回されて、嵌合い部品１０６に係合する。嵌合い部品１０６の雄ネジ部４４４は、使用者がドライバツール１０８を押して嵌合い部品１０６へ下向きの圧力を加えることによって、保持部品１０４の雌ネジ部５１２に係合する。ドライバツール１０８が回されるき、保持部品１０４が回転し、雌ネジ部５１２を嵌合い部品１０６の雄ネジ部４４４と係合させる。ドライバツール１０８を引き続き回転すると、この運動は保持部品１０４のアーム５２２、５２４、５２６及び５２８を広げる。保持部品１０４は、嵌合い部品１０６とインプラント１０２が完全に噛み合うまで、雄ネジ部４４４が雌ネジ部５１２と係合することによって、嵌合い部品１０６を尖端方向へ引っ張る。ドライバツール１０８は、その後取り外される。完全に噛み合うと、アーム５２２、５２４、５２６及び５２８の上端部は、図２に示すようにインプラント１０２の保持ストッパ面３１４に当接する。同様に図２に示すように、歯科用部品１０６の底部リム４０６の平面状ストッパ面４０８は、インプラント１０２の環状内部ショルダ３０６の環状ストッパ面３０８に当接することによって、シールを生成する。このようにして、保持部品１０４のアーム５２２、５２４、５２６及び５２８の上端部がインプラント１０２の保持ストッパ面３１４に当接し、嵌合い部品１０６の平面状ストッパ面４０８がインプラント１０２の環状ストッパ面３０８に当接することによって、取り付けられた保持部品１０４及び嵌合い部品１０６をインプラント１０２に保持することができる。
【００３４】
更に、保持部品１０４は嵌合い部品１０６内部には収容されずかつ組立体１００においてインプラント１０２の咬合面より上には収容されないので、患者にとって修復の設計上の融通性が、非常に短くかつ傾斜した修復を可能にすることによって、大幅に増大する。
【００３５】
図６Ａは、別の保持部品６０２と別のドライバツール６０４とを含む別の歯科用組立体６００を示す。歯科用組立体６００は、インプラント１０２と嵌合い部品１０６とを含み、これらは図１、２において上述した対応する部品と同一である。図６Ｂは、この別の保持部品６０２の斜視図を示し、図６Ｃは、この保持部品６０２の上面図を示す。別の保持部品６０２は、順応型の円錐形要素６１０と、円筒形支持体６１２と、中央シャフト６１４と、ドライバ係合ヘッド６１６と、を含む。ドライバ係合ヘッド６１６は、ドライバツール６０４と相互作用する。
【００３６】
順応型の円錐形要素６１０は、開放端部６２６付近に円筒形外面６２２及び傾斜外面６２４を含む。傾斜状内部環状面６２８が、開放端部６２６に形成される。傾斜状内部環状面６２８は、円筒形内面６３０に接続される。円筒形内面６３０はねじ切り内面６３２へ通じる。順応型の円錐形要素６１０は、４つのアーム６４２、６４４、６４６及び６４８を含む。４つのスロット６５２、６５４、６５６及び６５８が、４つのアーム６４２、６４４、６４６及び６４８の間に配置される。４つのアーム６４２、６４４、６４６及び６４８は、各々、ねじ切り内面６３２を有する。
【００３７】
円筒形支持体６１２は、順応型の円錐形要素６１０と一緒に内部空間を形成する底面６５０を含む。中央シャフト６１４は、底面６５０に取り付けられる。ドライバ係合ヘッド６１６は、ドライバツール６０４と噛み合う六角形外面６５２を含む。この実施例において、シャフト６１６は、円筒形支持体６１２及び順応型の円錐形区分６１０とワンピース型に製作される。この実施例において、保持部品６０２は、金メッキのステンレス鋼製である。
【００３８】
ドライバツール６０４は、シャフト６６２に取り付けられたハンドル６６０を含む。シャフト６６２は、シャフト６６２を嵌合い部品１０６の孔１４０の中へ挿入できるようにする直径を有する。ドライバツール６０４は、保持部品６０２の係合ヘッド６１６の対応する六角面６５２へロックする六角内面６６８を備えるソケット６６６を含むヘッド６６４を含む。ドライバツール６０４は、シャフトがせん断するトルクが保持部品６０２を固定するために必要なトルクよりも高いが保持部品６０２及び／又は保持部品６０２とドライバツール６０２との間の相互作用部を破壊するのに必要なトルクよりも低くなるように、シャフト６６２の断面積が減少している任意の機械的ヒューズ区分６７０を含む。このようにして、ドライバツール６０４が破損した場合、保持部品６０２及びインプラント１０２及び嵌合い部品１０６などの対応する構成部品が保護される。
【００３９】
インプラント手術において、保持インサート組立品１００のインプラント１０２が患者に配置される。保持部品６０２は、インプラント１０２の中に事前に組み立てられるので、同様に患者に配置される。図６Ａに示すように、順応型の円錐形要素６１０及び円筒形支持体６１２の傾斜外面は、インプラント１０２の円錐形中間区分３２２及び底部区分３２４の形状とほぼ合致する。このように、保持部品６０２は、当初、インプラント１０２の底部区分３２４の内部底端部３２６上に載置される。順応型の円筒形要素６１０の外径は、インプラント１０２の回転防止区分１３４の内部穴１３２の直径より僅かに大きい。保持部品６０２のアーム６４２、６４４、６４６及び６４８は締め付けられて、保持部品６０２をインプラント１０２の中へ挿入できるようにする。
【００４０】
嵌合い部品１０６は、インプラント１０２上に整列され、位置付けられる。嵌合い部品１０６の中間回転防止区分１４６は、インプラント１０２の回転防止区分１３４に係合して、嵌合い部品１０６の回転を防止する。嵌合い部品１０６の保持係合区分１４８は、保持部品６０２の開放端部６１６の中へ挿入される。嵌合い部品１０６の円筒体４４０の外面４４２のネジ部４４４は、保持部品６０２の円筒形内面６３０のねじ切り内面６３２に当接する。
【００４１】
ドライバツール６０４は、ソケット６６６が保持部品６０２の係合ヘッド６１６と噛み合うように、嵌合い部品１０６のアクセス孔１４０を介して挿入される。使用者は、嵌合い部品１０６がインプラント１０２の中へ下向きに押し込まれるように、ドライバツール６０４を押し得る。保持インサート６０２は、ドライバツール６０４によって回されて、嵌合い部品１０４に係合する。嵌合い部品１０６の雄ネジ部４４４は、保持部品６０２の雌ネジ部６３２に係合する。ドライバツール６０４が回されると、保持部品６０２が回転して、雌ネジ部６３２を嵌合い部品１０６の雄ネジ部４４４に係合させる。ドライバツール６０４を引き続き回すと、保持部品１０６に与えられた運動は、保持部品６０２のアーム６４２、６４４、６４６及び６４８を広げて離間させる。保持部品６０２は、嵌合い部品１０６とインプラント１０２の完全な噛み合いが得られるまで、雄ネジ部４４４と雌ネジ部６３２の係合によって嵌合い部品１０６を尖端方向へ引っ張る。ドライバツール６０４は、その後取り外される。完全に噛み合うと、アーム６４２、６４４、６４６及び６４８の上端部は、図６Ａに示すようにインプラント１０２の保持ストッパ面３１４に当接する。また、図６Ａに示すように、歯科用部品１０６の平面状環状ストッパ面４０８は、インプラント１０２の環状ストッパ面３０８に当接することによってシールを生成する。このように、保持部品６０２のアーム６４２、６４４、６４６及び６４８の上端部がインプラント１０２の保持ストッパ面３１４に当接し、平面状ストッパ面４０８が環状ストッパ面３０８に当接することによって、取り付けられた保持部品６０２及び嵌合い部品１０６がインプラント１０２に保持される。
【００４２】
或いは、保持部品６０２は、２ピース型組立体とすることができる。図６Ｄは、２ピース型保持部品６８０を備える図６Ａの別の相互作用組立体６００の断面図である。図６Ｅは、図６Ｅの２ピース型保持部品６８０の斜視図である。図６Ｄの相互作用組立体６００は、図６Ａに示すのと同じインプラント１０２と、嵌合い部品１０６と、ドライバツール６０４とを有する。保持部品６８０は、図６Ａ〜６Ｃに示す保持部品６０２と同じ全体形状及び機能を有する。保持部品６８０は、図６Ａの保持部品６０２の順応型の円錐形区分６１０と底面６５０とを含む順応型のピース６８２を有する。別個の挿入ピース６８４は、中央シャフト６１４及びドライバ係合ヘッド６１６を形成する。
【００４３】
図６Ｄに示すように、順応型のピース６８２は、インサート６８４を保持する底部孔６８６を有する。インサート６８４は、底部孔６８６の中へ挿入されるピン６８８を含む。環状突出部６９０は、順応型のピース６８２の底面６５０上に乗る。インサート６８４は、環状突出部６９０とのプレス嵌めによって所定の場所にロックされる。或いは、ピン６８８は、スクリューを介して順応型のピース６８２に取り付けられてもよい。
【００４４】
図７Ａは、別の保持部品７０４を介してインプラント７０２に取り付けできる歯科用部品７０６を含む、別のインプラント組立体７００を示す。図６Ａのドライバツール６０４と同一のドライバツール６０４が、組立体７００において構成部品を取り付けるために図７Ａにおいて使用される。図７Ｂは、この別の保持部品７０４の斜視図であり、図７Ｃは、保持部品７０４の上面図である。インプラント７０２は、この実施例において、閉鎖端部７１２と反対側の開放端部７１４とを含むほぼ円筒形の体部７１０を含む。円筒体７１０は、インプラント７０２を骨の中に保持する一連の雄ネジ山７１６を含む。インプラント７０２は、回転防止区分７２４と中間円筒形チャンバ７２６と保持部品チャンバ７２８とを有する内部穴７２２を含む。
【００４５】
開放端部７１４は、環状ストッパ面７３４を含む環状内部ショルダ７３２を形成する環状リング７３０を含む。環状ストッパ面７３４は、実質的に水平であり、後述するように、歯科用部品７０６が載置できるようにして、シールを生成する。
【００４６】
インプラント７０２の回転防止区分７２４は、歯科用部品がインプラント７０２の中へ挿入されたときに歯科用部品７０６の回転運動を防止するために、歯科用部品７０６の対応する面と噛み合う１組の円形の突起部及び溝部を含む。保持部品チャンバ７２８は、保持部品チャンバ７２８の直径よりも小さい第１直径を有する保持ストッパ壁７３６を含む。
【００４７】
別の保持部品７０４は、円筒形支持体７４２の一端において順応型の要素７４０を含み、他方の端部においてドライバ係合ヘッド７４６を含む。係合ヘッド７４６は、ドライバツール６０４と相互作用する。
【００４８】
順応型の要素７４０は、４つの順応型のアーム７５２、７５４、７５６及び７５８を支持する円筒形底部プレート７５０を含む。順応型のアーム７５２、７５４、７５６及び７５８の各々は、支持体７４２から外向きに傾斜する。底部プレート７５０の直径は、底部プレート７５０が保持ストッパ壁７３６を通過してチャンバ７２８の中へ挿入することができるようにするために、保持ストッパ壁７３６の直径とほぼ同じである。４つのスロット７６２、７６４、７６６及び７６８が、４つのアーム７５２、７５４、７５６及び７５８の間に配置される。４つのアーム７５２、７５４、７５６及び７５８は、インプラント７０２の保持部品チャンバ７２８とほぼ同じ高さである。
【００４９】
円筒形支持体７４２は、雄ネジ部７７０を含む。ドライバ係合ヘッド７４６は、ドライバツール６０４と噛み合う六角形の外面７７２を含む。この実施例において、別の保持部品７０４は、金メッキのステンレス鋼である。
【００５０】
歯科用部品７０６は、この実施例において、中間回転防止区分７８２の一端に結合されるヘッド７８０を含む。中間区分７８２の他方の端は、保持係合区分７８４に結合される。内部孔７８８が歯科用部品７０６を貫通して形成される。孔７８８は、ドライバ係合ヘッド７４６を受け入れるのに充分な直径を有する。保持係合区分７８４は、ネジ山７９２を含む円筒形内面７９０を有する。平面状ストッパ面７９６が、歯科用部品７０６のヘッド７８０の底部に形成される。
【００５１】
インプラント手術において、保持インサート組立体７００のインプラント７０２は、患者に形成された切骨部に挿入される。保持部品７０４は、インプラント７０２の保持チャンバ７２８の中に事前に配置されるので、インプラント７０２と一緒に患者体内に配置される。保持部品７０４は、患者にインプラント７０２を配置する前に保持部品チャンバ７２８の中へ押し込むことができる。保持部品７０４を挿入すると、保持部品チャンバ７２８のより小さい直径によってアーム７５２、７５４、７５６及び７５８は内側へ屈曲させられる。アーム７５２、７５４、７５６及び７５８は、その後、膨張して、インプラント７０２の保持ストッパ壁７３６に当接する。このようにして、保持部品７０４の底部７５０は、インプラント７０２の保持部品チャンバ７２８の中に載置されて保持される。
【００５２】
嵌合い部品７０６は、インプラント７０２の上に整列され位置付けられる。嵌合い部品７０６の中間回転防止区分７８２は、インプラント７０２の回転防止区分７２４に係合する。嵌合い部品７０６の保持係合区分７８４は、ドライバ係合ヘッド７４６の周りに挿入される。嵌合い部品７０６の保持係合区分７８４内面７９０のネジ部７９２は、保持部品７０２の円筒体７４２のネジ部７７０に当接する。
【００５３】
ドライバツール６０４は、ソケット６６６が保持部品７０４の係合ヘッド７４２と噛み合うように、嵌合い部品７０６の内部孔７９４を介して挿入される。次に、保持部品７０４は、ドライバツール６０４によって回されて、嵌合い部品７０６に係合する。使用者は、嵌合い部品７０６の雌ネジ部７９２が保持部品７０４の雄ネジ部７７０と係合するように、ドライバツール６０４を下向きに押す。ドライバツール６０４が回されたとき、保持部品７０４は回転して、保持部品７０４のネジ山７７０を嵌合い部品７０６の雌ネジ部７９２と係合させる。ドライバツール６０４を引き続き回すと、保持部品７０４は、嵌合い部品７０６とインプラント７０２の完全な噛み合いが得られるまで、雄ネジ部７７０と雌ネジ部７９２の係合によって、嵌合い部品７０６を尖端方向へ引っ張る。その後、ドライバツール７０４を取り外す。完全に噛み合うと、歯科用部品７０６の平面状ストッパ面７９４は、インプラント７０２の環状ストッパ面７３４に当接することによってシールを生成する。このようにして、保持部品７０６のアーム７５２、７５４、７５６及び７５８の上端部がインプラント７０２の保持ストッパ面７３６に当接し、平面状ストッパ面７９４が環状ストッパ面７３４に当接することによって、取り付けられた保持部品７０４及び嵌合い部品７０６をインプラント７０２に保持することができる。
【００５４】
図８Ａは、Ｃ字形スナップリングインサート８０８と一緒に別の保持部品８０４を介して歯科用部品８０６に取り付けることができるインプラント８０２を含む別のインプラント組立体８００の斜視図である。図８Ｂは、歯科用部品８０６がインプラント８０２の中へ挿入されたときのインプラント組立体８００の構成部品の側面図である。図８Ｃは、歯科用部品８０６がインプラント８０２に完全に取り付けられたときのインプラント組立体８００の構成部品の側面図である。構成部品を取り付けるために、図８Ｂにおいては、図１のドライバツール１０８と同じドライバツール１０８が使用される。
【００５５】
インプラント８０２は、この実施例において、閉鎖端部８１２と反対側の開放端部８１４とを含むほぼ円筒形の体部８１０を含む。円筒体８１０は、インプラント８０２を骨の中へ保持する一連の雄ネジ山８１６を含む。インプラント８０２は、回転防止区分８２４と、中間ネック区分８２６と、保持部品チャンバ８２８とを有する内部穴８２２を含む。
【００５６】
開放端部８１４は、環状ストッパ面８３０を含む。環状ストッパ面８３０は、実質的に水平であり、後述するように、歯科用部品８０６が載置できるようにして、シールを生成する。
【００５７】
回転防止区分８２４は、歯科用部品８０６がインプラント８０２の中へ挿入されたとき回転運動を防止するために、歯科用部品８０６の対応する面と噛み合う１組の円形の突起部及び溝部を含む。保持部品チャンバ８２８は、保持部品チャンバ８２８の直径より小さい直径を有する中間ネック８２６によって形成された環状保持ストッパ壁８３２を含む。
【００５８】
図９Ａは、別の保持部品８０４の斜視図であり、図９Ｂは保持部品８０４の側面図であり、図９Ｃは保持部品８０４の上面図である。この別の保持部品８０４は、円筒形支持体８４２の一端に環状突出部８４０を含み、他方の端にドライバ係合ヘッド８４６を含む。環状突出部８４０は、円錐形底部８４８と円形当接面８５０とを含む。係合ヘッド８４６は、ドライバツール１０８と相互作用するソケット８５２を含む。環状突出部８４０の直径は、保持部品８０４の環状突出部８４０をインプラント８０２の保持チャンバ８２８に挿入できるようにするために、インプラント８０２の保持ストッパ壁８３２の直径とほぼ同じである。インサート８０８は、保持部品チャンバ８２８の中に嵌るようにより小さい直径に圧縮できる。インサート８０８は、その後、より大きい直径まで膨張して、保持ストッパ壁８３２によって保持部品チャンバ８２８の中に保持される。スナップリングインサート８０８は、インサート及び／又は保持部品８０６がオッセオインテグレーテッドインプラント８０２を冠状のこで患者から取り除く必要がないようにすることに失敗した場合に、取外し可能にするためのものである。スナップリングインサート８０８は、スナップリングインサート８０８の任意の突出部に係合して、スナップリングインサート８０８をより小さい直径に圧縮して、保持チャンバ８２８から解除してインプラント８０２から取り外す専用ツールによって取り外すことができる。
【００５９】
円筒形支持体８４２は、雄ネジ部８６０を含む。ドライバ係合ヘッド８４６のソケット８５２は、ドライバツール１０８と噛み合う六角形内面８６２を含む。この実施例において、別の保持部品８０４は、金メッキのステンレス鋼である。
【００６０】
歯科用部品８０６は、この実施例において、保持係合区分８７４に結合される中間回転防止区分８７２に結合されるヘッド８７０を含む。内部孔８７８は、歯科用部品８０６を貫通して形成される。孔８７８は、歯科用部品８０６がドライバ係合ヘッド８４６を受け入れるのに充分な直径を有する。ヘッド８７０は、環状当接ショルダ８８２において終端する傾斜底部区分８８０を有する。保持係合区分８７４は、ネジ山８９２を含む円筒形内面８９０を有する。
【００６１】
図８Ｂは、歯科用部品８０６がインプラント８０２の中へ挿入され、ドライバツール１０８を介して下向き圧力が加えられたときの、図８Ａの別の相互作用部の断面図である。インプラント手術において、保持インサート組立体８００のインプラント８０２は、患者に生成された切骨部に挿入される。保持部品８０４及びインサート８０８は、インプラント８０２の保持部品チャンバ８２８の中に事前に配置されるので、図８Ｂに示すように保持部品も患者体内に配置される。保持部品８０４を、まず保持部品チャンバ８２８の中へ押し入れて、その後、インサート８０８を圧縮して、ネック８２６を通過させて保持部品チャンバ８２８の中へ嵌める。インサート８０８がチャンバ８２８の中に配置されたら、インサートは膨張して、保持ストッパ壁８３２によって所定の場所に保持される。
【００６２】
嵌合い部品８０６は、インプラント８０２上に整列され配置される。嵌合い部品８０６の中間回転防止区分８７２は、インプラント８０２の回転防止区分８２４に係合して、嵌合い部品８０６の回転を防止する。嵌合い部品８０６の保持係合区分８７４は、ドライバ係合ヘッド８４６の周りに挿入される。嵌合い部品８０６の保持係合区分８７４の内面８９０のネジ部８９２は、保持部品８０４の円筒形支持体８４２のネジ部８６０に当接する。
【００６３】
ドライバツール１０８は、頭部が保持部品８０４の係合面８６２と噛み合うように嵌合い部品８０６の内部孔８５２を介して挿入される。使用者は、保持部品８０４に係合するために、ドライバツール１０８を介して嵌合い部品８０６に対して下向きの力を加えることができる。その結果、嵌合い部品８０６の雌ネジ部８９２は、保持部品８０４の雄ネジ部８６０に係合する。ドライバツール１０８が回されると、保持部品８０４が回転して、ネジ部８６０を嵌合い部品８０６の雌ネジ部８９２と係合する。ドライバツール１０８を引き続き回すと、保持部品８０４は、嵌合い部品８０６とインプラント８０２の完全な噛み合いが得られるまで、雄ネジ部８６０と雌ネジ部８９２の係合によって、嵌合い部品８０６を尖端方向へ引っ張る。その後、ドライバツール１０８は取り外される。
【００６４】
図８Ｃは、歯科用部品８０６がインプラント８０２と完全に噛み合ってドライバツール１０８が取り外されたときの図８Ａの別の相互作用部８００の断面図である。完全に噛み合うと、保持部品８０４の環状突出部８４０の円形当接面８５０は、インサート８０８の一方の面に押し付けられる。インサート８０８の他方の面は、インプラント８０２の保持ストッパ面８３２に当接する。嵌合い部品８０６は、ネジ部８６０及び８９２の相互作用部によって保持部品８０４に保持される。歯科用部品８０６の当接面８８２は、インプラント８０２の環状当接面８３０に当接して、更なるシールを生成する。
【００６５】
上述したように、以上の実施例の嵌合い部品は、アバットメント以外の装置を含むことができる。例えば、図１０Ａ〜１０Ｄに示すカバースクリュー式部品１０００は、修復プロセスの後の段階でアバットメント又はその他の補綴物を挿入する前に、図８Ａのインプラント８０２及び保持部品８０４の内部を保護するために使用できる。図１０Ａは、図８Ａ〜８Ｃに示すインプラント８０２及び保持部品８０４と一緒のカバースクリュー式歯科用部品１０００の組立体の断面図である。図１０Ｂは、カバースクリュー式歯科用部品１０００の構成部品の分解斜視図であり、図１０Ｃは、カバースクリュー式歯科用部品１０００の上面図であり、図１０Ｄは、カバースクリュー式歯科用部品１０００の側面図である。カバースクリュー式歯科用部品１０００は、円筒体１００４へ取り付け可能なキャップ１００２を含む。キャップ１００２及び円筒体１００４の組立体を図１０Ａ及び１０Ｄに示す。
【００６６】
キャップ１００２は、相互作用面１０１４を含むソケット１０１２を備える上面１０１０を含む。ソケット１０１２は、カバースクリュー式歯科用部品１０００をスクリュードライバ又は図８Ｂのドライバツール１０８などの専用ドライバツールによって所定の場所まで回転できるようにする。反対側の底面１０２０は、突出ステム１０２２を含む。ステム１０２２は、キャップ１００２を円筒体１００４と保持できるようにするロック用管状スロット１０２４を含む。ステム１０２２は、図８Ａの保持部品８０４の係合ヘッド８４６のソケット８５２と噛み合う外面形体１０２８を有する係合区分１０２６も含む。
【００６７】
円筒体１００４は、キャップ１００２の環状スロット１０２４の中へロックする環状タブ１０３０を含む。円筒体１００４は、インプラント８０２の回転防止区分８２４と相互作用するロック形体１０３４を含む外面１０３２を含む。円筒体１００４は、ネジ山１０３８を含む内面１０３６を含む。
【００６８】
図１０Ａに示すように、カバースクリュー１０００は、ロック形体１０３４がインプラント８０２の回転防止区分８２４と相互作用するようにインプラント８０２の中へ挿入される。係合区分１０２６は、保持部品８０４の係合ヘッド８５２の中へ挿入される。キャップ１００２は、ソケット１０１２に挿入された適切なツールによって回されて、それによって保持部品８０４が回されて、カバースクリュー１０００へ向けて先端へ移動する。円筒体１００４のねじ山１０３８は、保持部品８０４の円筒支持体８４２のねじ山８６０に係合する。完全に組み立てられると、底面１０２０は、インプラント８０２の環状当接面８３０との間にシールを生成する。このようにして、保持部品８０４は、キャップ１００２の回転によって回転して、固定された円筒体１００４の中へ入る。
【００６９】
図１１Ａは、様々な回転向きを備える歯科用部品１１４０のための別のインプラント相互作用部１１００の上面図である。インプラント１１１０は、図１のインプラント１０２、図７Ａのインプラント７０２又は図８Ａのインプラント８０２と同様である。インプラント１１１０は、歯科用部品１１２０がインプラント１１１０の中に挿入されるとき歯科用部品１１２０の回転を防止する別の回転防止区分１１１２を有する。回転防止区分１１１２は、７つのラジアル突出部１１２４ａ〜１１２４ｇを含む円筒形内面１１２２を含むソケット１１２０を含む。ラジアル突出部１１２４ａ〜１１２４ｇの各々は、相互に等しく離間して、対応する等しい間隔及び寸法のギャップ１１２６ａ〜１１２６ｆを形成する。ラジアル突出部１１２４ａ及び１１２４ｇは、内面１１２２の円周のより大きいラジアル距離で相互に離間して、より大きい円形ギャップ１１２６を形成する。
【００７０】
歯科用部品１１４０は、円筒形外面１１４４を有する回転防止区分１１４２を含む。円筒形外面１１４４は、対応する溝部１１４８ａ〜１１４８ｉを形成する８つの対称形ラジアルタブ１１４６ａ〜１１４６ｉを含む。歯科用部品１１４０がインプラント１１１０の中へ挿入されるとき、ラジアルタブ１１４６ａ〜１１４６ｉは図１１Ａに示すようにインプラント１１１０のギャップ１１２６ａ〜１１２６ｆ及び１１２８の中へ挿入される。タブ１１４６ａ〜１１４６ｉとギャップ１１２６ａ〜１１２６ｆ及び１１２８との間の相互作用並びに溝部１１４８ａ〜１１４８ｉと突出部１１２４ａ〜ｇとの間の相互作用は、歯科用部品１１４０の回転を防止する。図１１Ａに示すように、より大きい円形ギャップ１１２８は、歯科用部品１１４０のタブ１１４６ａ〜１１４６ｂの２つを保持する。このようにして、歯科用部品１１４０は、インプラント１１１０に対して８つの別個の回転向きを備えることができる。
【００７１】
図１１Ｂは、固有の回転向きを備える歯科用部品１１５０と一緒にインプラント１１１０を含む別のインプラント相互作用部１１００の上面図である。歯科用部品１１１０は、円筒形外面１１５４を有する回転防止区分１１５２を含む。円筒形外面１１５４は、対応する溝部１１５８ａ〜１１５８ｇを形成する６つの対称形ラジアルタブ１１５６ａ〜１１５６ｆを含む。より大きいタブ１１６０が、溝部１１５８ａと１１５８ｇとの間の面１１５４の所定の部分に形成される。歯科用部品１１５０がインプラント１１１０の中へ挿入されるとき、ラジアルタブ１１５６ａ〜１１５６ｆは、図１１Ｂに示すようにインプラント１１１０の対応するギャップ１１２６ａ〜１１２６ｆの中へ挿入される。より大きいタブ１１６０は、インプラント１１１０のより大きいギャップ１１２８へのみ挿入可能である。このようにして、タブ１１５６ａ〜１１５６ｇと対応するギャップ１１２６ａ〜１１２６ｆとの間の相互作用並びに溝部１１５８ａ〜１１１５８ｇと突出部１１２４ａ〜ｇとの間の相互作用は、歯科用部品１１４０の回転を防止する。図１１Ｂに示すように、より大きい円形ギャップ１１２８は、より大きいタブ１１６０を保持し、それによって、インプラント１１１０に対して１つの所定の回転向きに歯科用部品１１５０をロックする。
【００７２】
図１２Ａは、図８Ｂに示すようにインプラント８０２と組み立てられたときプラグ装置１２００が歯科用部品８０６に挿入された状態の図８Ａの相互作用部組立体の断面図である。プラグ１２００は、歯科用部品８０６の内部孔８７８の中へ挿入される。プラグ１２００は、クラウン又はその他の補綴物が歯科用部品８０６上に設置される前にインプラント８０２及び保持部品８０４の内部へごみが進入するのを防止する。プラグ１２００は、シリコン又はその他の適切な順応型の材料から製作できる。プラグ１２００は、孔８７８のサイズと同じ直径を有する本体１２０２を含む。プラグ１２００は、側面スロット１２０８を備える環状リップ１２０６を含むソケット１２０４を含む。
【００７３】
プラグツール１２５０は、プラグ１２００のソケット１２０４に挿入できるヘッド１２５２を含む。ヘッド１２５２は、環状リップ１２０６のスロット１２０８を通過して挿入できるタブ１２５６を含む。図１２Ａに示すように、タブ１２０６が捩じられてスロット１２０８に対応して方向が定められると、プラグツール１２５０をプラグ１２００から取り外せる。図１２Ｂに示すように、タブ１２５６がスロット１２０８の中へ挿入され、プラグツール１２５０が回されると、タブ１２５６は、環状リップ１２０６に当接し、プラグツール１２５０はプラグ１２００に取り付けられる。このようにして、プラグ１２００は、プラグツール１２５０によって挿入できる。プラグツール１２５０を捩じると、スロット１２０８を通過してタブ１２５６を外せる。プラグ１２００を取り外さなければならないとき、タブ１２５６がスロット１２０８を通過して挿入されるように、プラグツール１２５０が挿入される。その後プラグツール１２５０が捩じられると、タブ１２５６は環状リップ１２０６に当接できる。その後、プラグツール１２５０を歯科用部品８０６からプラグ１２００を持ち上げることができる。
【００７４】
本開示の特定の実施形態及び応用について図解し説明したが、本開示は、本明細書において開示する正確な構成及び組成に限定されないこと、及び請求項において規定される本発明の主旨及び範囲から逸脱することなく以上の説明から様々な修正、変更及び変形が明らかになることが分かるはずである。
【図１】
2018516704.tif 000003
【図２】
2018516704.tif 000004
【図３Ａ】
2018516704.tif 000005
【図３Ｂ】
2018516704.tif 000006
【図４Ａ】
2018516704.tif 000007
【図４Ｂ】
2018516704.tif 000008
【図５Ａ】
2018516704.tif 000009
【図５Ｂ】
2018516704.tif 000010
【図６Ａ】
2018516704.tif 000011
【図６Ｂ】
2018516704.tif 000012
【図６Ｃ】
2018516704.tif 000013
【図６Ｄ】
2018516704.tif 000014
【図６Ｅ】
2018516704.tif 000015
【図７Ａ】
2018516704.tif 000016
【図７Ｂ】
2018516704.tif 000017
【図７Ｃ】
2018516704.tif 000018
【図８Ａ】
2018516704.tif 000019
【図８Ｂ】
2018516704.tif 000020
【図８Ｃ】
2018516704.tif 000021
【図９Ａ】
2018516704.tif 000022
【図９Ｂ】
2018516704.tif 000023
【図９Ｃ】
2018516704.tif 000024
【図１０Ａ】
2018516704.tif 000025
【図１０Ｂ】
2018516704.tif 000026
【図１０Ｃ】
2018516704.tif 000027
【図１０Ｄ】
2018516704.tif 000028
【図１１Ａ】
2018516704.tif 000029
【図１１Ｂ】
2018516704.tif 000030
【図１２Ａ】
2018516704.tif 000031
【図１２Ｂ】
2018516704.tif 000032
【国際調査報告】
2018516704.tif 000033
2018516704.tif 000034